(57)【要約】【課題】情報通知／取得のための物理的リソースを効率的に利用する。【解決手段】フレームを一つ以上に分割したサブフレームを用いて基地局からダウンリンクデータを移動局に送信する移動通信システムにおいて、基地局は、リファレンス信号生成部１２１３で複数フレーム区間に設定される時間区間制御情報を移動局に通知するセル固有の符号系列を生成し、割り当て部１２１４で上記セル固有の符号系列を各サブフレームに多重される基準信号に割り当てる。【選択図】図１０
2008283528.tif 000002
【特許請求の範囲】
【請求項１】
フレームを一つ以上に分割したサブフレームを用いて無線制御装置からダウンリンクデータを通信端末装置に送信する移動通信システムであって、
前記無線制御装置は、複数フレーム区間に設定される時間区間制御情報を前記通信端末装置に通知するセル固有の符号系列を生成し、前記セル固有の符号系列を各サブフレームに多重される基準信号に割り当て、
前記通信端末装置は、各サブフレームに多重された基準信号を抽出し、前記セル固有の符号系列を検出し、当該セル固有の符号系列の割当位置に応じて前記時間区間制御情報を取得することを特徴とする移動通信システム。
【請求項２】
前記無線制御装置は、前記セル固有の符号系列として、１フレーム毎に符号系列を循環的にシフトした符号系列を生成し、前記通信端末装置は、当該符号系列に基づいて前記時間区間制御情報を取得することを特徴とする請求項１記載の移動通信システム。
【請求項３】
前記無線制御装置は、前記セル固有の符号系列として、複数フレーム毎に符号系列を循環的にシフトした符号系列を生成し、前記通信端末装置は、当該符号系列に基づいて前記時間区間制御情報を取得することを特徴とする請求項１記載の移動通信システム。
【請求項４】
前記無線制御装置は、セルＩＤと１対１に対応する前記セル固有の符号系列を生成し、前記通信端末装置は、当該符号系列に基づいて前記時間区間制御情報を取得することを特徴とする請求項１記載の移動通信システム。
【請求項５】
前記無線制御装置は、１フレーム毎に１符号シフトする前記セル固有の符号系列を生成し、前記通信端末装置は、当該符号系列に基づいて前記時間区間制御情報を取得することを特徴とする請求項２記載の移動通信システム。
【請求項６】
前記無線制御装置は、１フレーム毎に一定符号シフトし、当該一定符号シフト量がフレーム毎に一定である前記セル固有の符号系列を生成し、前記通信端末装置は、当該符号系列に基づいて前記時間区間制御情報を取得することを特徴とする請求項２記載の移動通信システム。
【請求項７】
前記時間区間制御情報がシステムフレーム番号であることを特徴とする請求項１から請求項６のいずれかに記載の移動通信システム。
【請求項８】
フレームを一つ以上に分割したサブフレームを用いて通信端末装置にダウンリンクデータを送信する無線制御装置であって、
複数フレーム区間に設定される時間区間制御情報を前記通信端末装置に通知するセル固有の符号系列を生成するリファレンス信号生成手段と、
前記セル固有の符号系列を各サブフレームに多重される基準信号に割り当てる符号割当手段と、を備えることを特徴とする無線制御装置。
【請求項９】
前記リファレンス信号生成手段は、前記セル固有の符号系列として、１フレーム毎に符号系列を循環的にシフトした符号系列を生成することを特徴とする請求項８記載の無線制御装置。
【請求項１０】
前記リファレンス信号生成手段は、前記セル固有の符号系列として、複数フレーム毎に符号系列を循環的にシフトした符号系列を生成することを特徴とする請求項８記載の無線制御装置。
【請求項１１】
前記リファレンス信号生成手段は、セルＩＤと１対１に対応する前記セル固有の符号系列を生成することを特徴とする請求項８記載の無線制御装置。
【請求項１２】
前記リファレンス信号生成手段は、１フレーム毎に１符号シフトする前記セル固有の符号系列を生成することを特徴とする請求項９記載の無線制御装置。
【請求項１３】
前記リファレンス信号生成手段は、１フレーム毎に一定符号シフトし、前記一定符号シフト量がフレーム毎に一定である前記セル固有の符号系列を生成することを特徴とする請求項９記載の無線制御装置。
【請求項１４】
前記時間区間制御情報がシステムフレーム番号であることを特徴とする請求項８から請求項１３のいずれかに記載の無線制御装置。
【請求項１５】
フレームを一つ以上に分割したサブフレームを用いて無線制御装置からのダウンリンクデータを受信する通信端末装置であって、
前記無線制御装置からのダウンリンクデータを受信する受信手段と、
前記ダウンリンクデータにおいて各サブフレームに多重される基準信号に割り当てられたセル固有の符号系列を検出し、当該セル固有の符号系列の割り当て位置に応じて複数フレーム区間に設定される時間区間制御情報を取得するリファレンス信号処理手段と、を備えることを特徴とする通信端末装置。
【請求項１６】
前記リファレンス信号処理手段は、１フレーム毎に符号系列を循環的にシフトした符号系列に基づいて前記時間区間制御情報を取得することを特徴とする請求項１５記載の通信端末装置。
【請求項１７】
前記リファレンス信号処理手段は、複数フレーム毎に符号系列を循環的にシフトした符号系列に基づいて前記時間区間制御情報を取得することを特徴とする請求項１５記載の通信端末装置。
【請求項１８】
前記リファレンス信号処理手段は、セルサーチによって検出されるセルＩＤと１対１に対応する前記セル固有の符号系列を検出することを特徴とする請求項１５記載の通信端末装置。
【請求項１９】
前記リファレンス信号処理手段は、１フレーム毎に１符号シフトする前記セル固有の符号系列を検出することを特徴とする請求項１６記載の通信端末装置。
【請求項２０】
前記リファレンス信号処理手段は、１フレーム毎に一定符号シフトし、前記一定符号シフト量がフレーム毎に一定である前記セル固有の符号系列を検出することを特徴とする請求項１６記載の通信端末装置。
【請求項２１】
前記時間区間制御情報がシステムフレーム番号であることを特徴とする請求項１５から請求項２０のいずれかに記載の通信端末装置。
【発明の詳細な説明】
【技術分野】
【０００１】
本発明は、移動通信システム、無線制御装置および通信端末装置に関し、特に、下り方向（ダウンリンク）無線通信方式にＯＦＤＭＡ通信方式を採用したＬＴＥ（Ｌｏｎｇ  Ｔｅｒｍ  Ｅｖｏｌｕｔｉｏｎ)規格に従って通信を行なう移動通信システム、無線制御装置および通信端末装置に関する。
【背景技術】
【０００２】
近年、Ｗ−ＣＤＭＡ方式をはじめとする第３世代移動体通信（３Ｇ）が世界的に普及して来ている。さらに、現在、第３世代移動体通信規格を検討する組織である３ＧＰＰ（３ｒｄ  Ｇｅｎｅｒａｔｉｏｎ  Ｐａｒｔｎｅｒｓｈｉｐ  Ｐｒｏｊｅｃｔ）では、ダウンリンクにおいてＯＦＤＭＡ通信方式を採用した、より高速な通信速度を実現する次世代移動体通信方式が検討されている。以降、本明細書ではこの次世代通信規格をＬＴＥと呼ぶ。
【０００３】
ＬＴＥの移動体通信システムでは、移動局は、初期同期確立（初期セルサーチ）のために、あるいは、ハンドオーバーのために、自機（移動局）が接続しようとするセルおよびセクタを同定する必要がある。ＬＴＥでは、高速なセルサーチのために、いわゆる３段階セルサーチ方法が採用されている。
【０００４】
ＬＴＥにおける３段階セルサーチは、一般に、物理チャネルとして同期チャネル（ＳＣＨ：Ｓｙｎｃｈｒｏｎｉｚａｔｉｏｎ  Ｃｈａｎｎｅｌ）とリファレンス信号（ＲＳ：Ｒｅｆｅｒｅｎｃｅ  Ｓｉｇｎａｌ）とが使用される。ＳＣＨは、Ｐ−ＳＣＨ（Ｐｒｉｍａｒｙ  ＳＣＨ）と、Ｓ−ＳＣＨ（Ｓｅｃｏｎｄａｒｙ  ＳＣＨ）との２つのチャネルによって構成される。
【０００５】
まず、Ｐ−ＳＣＨによってシンボルタイミングを検出し（第１段階）、次に、Ｓ−ＳＣＨコードの相関検出によっていくつかのセル番号をグループ分けしたセルＩＤグループの同定とＰ−ＳＣＨの符号を判定することによりグループ内のセクタＩＤの同定を実施する（第２段階）。次に、ＲＳを用いた相関検出によって、セル固有であるＲＳの符号の検出を行なうことによってセルＩＤの確認を行なう（第３段階）。詳細に関しては現在も検討中であるが、暫定的にはセルＩＤグループとして１７０種類、セクタＩＤを３種類としている。よって、セルＩＤグループとセクタＩＤとの組み合わせで生成されるセルＩＤは５１０種類になる。
【０００６】
さらに、基地局との同期確立を終えた移動局は、その後、移動局からの制御情報を受信する。この制御情報は、報知情報とも呼ばれている。報知情報で通知される情報の１つにシステムフレーム番号（ＳＦＮ：Ｓｙｓｔｅｍ  Ｆｒａｍｅ  Ｎｕｍｂｅｒ）がある。ＳＦＮとは、フレームより長い周期の時間単位であり、ハンドオーバーの際の２つの基地局間のデータ受け渡しのタイミング制御などに使用される。ＬＴＥでは、現在は明確なＳＦＮ周期は決定されていないが、同じ３ＧＰＰの規格であるＷ−ＣＤＭＡでは４０９６フレームで１周期である。
【０００７】
非特許文献１においては、ＬＴＥの規格として検討されている下りリンクＯＦＤＭＡ通信方式を用いたＳＦＮの通知方法が記載されており、ＳＦＮは、ＬＴＥの物理チャネルの１つとして検討されているプライマリＢＣＨ（Ｐ−ＢＣＨ：Ｐｒｉｍａｒｙ  Ｂｒｏａｄｃａｓｔ  Ｃｈａｎｎｅｌ）によって移動局に通知される。
【非特許文献１】３ＧＰＰ寄書  “Ｒ２−０７０７６８”，  ”Ｃｏｍｂｉｎｉｎｇ  ｏｆ  Ｐ−ＢＣＨ“  ［平成１９年３月７日検索］，インターネット  （ｆｔｐ：／／ｆｔｐ.３ｇｐｐ．ｏｒｇ／ＴＳＧ＿ＲＡＮ／ＷＧ２＿ＲＬ２／ＴＳＧＲ２＿５７／Ｄｏｃｕｍｅｎｔｓ／Ｒ２−０７０７６８.ｚｉｐ）
【発明の開示】
【発明が解決しようとする課題】
【０００８】
上記のとおり、次世代移動体通信規格であるＬＴＥにおいては、ＳＣＨとＲＳを利用した３段階セルサーチを実施した後、接続しようとする基地局からの報知情報を取得する。
【０００９】
報知情報は、主にＢＣＨにより移動局に通知される。ＢＣＨにより通知される報知情報としては、ＳＦＮの他にシステム帯域幅情報、送信アンテナ数情報、ＦＤＤ／ＴＤＤ識別情報のようなものが検討されている。ＢＣＨは、移動局がセルサーチを行なうと同時に取得する情報を含むため、定期的（例えば、１フレームに１度）に固定的なリソース配置で送信されるのが普通である。ただし、ＢＣＨの情報によっては一定間隔で取得する必要性が低いものもあるため、その場合にはＢＣＨをその必要性により分割し、動的なチャネルで送信する方法も検討されている。
【００１０】
一方で、ＢＣＨ自身で多くの情報を移動局に通知しようとすると、ＢＣＨ全体の情報量が増加し、全下りリンク通信に占める報知情報の割合が高くなってしまうという問題がある。そのため、ＢＣＨで送信を行なう情報量をなるべく削減する必要がある。
【００１１】
本発明は、このような実情に鑑みて為されたものであり、情報通知／取得のための物理的リソースを効率的に利用することができる移動通信システム、無線制御装置および通信端末装置を提供することを目的とする。
【課題を解決するための手段】
【００１２】
（１）上記の目的を達成するため、本発明は、以下のような手段を講じた。すなわち、本発明に係る移動通信システムは、フレームを一つ以上に分割したサブフレームを用いて無線制御装置からダウンリンクデータを通信端末装置に送信する移動通信システムであって、前記無線制御装置は、複数フレーム区間に設定される時間区間制御情報を前記通信端末装置に通知するセル固有の符号系列を生成し、前記セル固有の符号系列を各サブフレームに多重される基準信号に割り当て、前記通信端末装置は、各サブフレームに多重された基準信号を抽出し、前記セル固有の符号系列を検出し、当該セル固有の符号系列の割当位置に応じて前記時間区間制御情報を取得することを特徴としている。
【００１３】
このように、無線制御装置で時間区間制御情報を通知するセル固有の符号系列を生成し、当該セル固有の符号系列を各サブフレームに多重される基準信号に割り当てる一方、通信端末装置で当該セル固有の符号系列の割当位置に応じて時間区間制御情報を取得することから、時間区間制御情報を通知するために使用される物理的リソースを削減することができるので、情報通知／取得のための物理的リソースを効率的に利用することが可能となる。
【００１４】
（２）本発明に係る移動通信システムにおいて、前記無線制御装置は、前記セル固有の符号系列として、１フレーム毎に符号系列を循環的にシフトした符号系列を生成し、前記通信端末装置は、当該符号系列に基づいて前記時間区間制御情報を取得することを特徴としている。
【００１５】
このように、セル固有の符号系列として、１フレーム毎に符号系列を循環的にシフトした符号系列が生成されることから、シフト量に情報を持たせることができるので、当該情報によって時間区間制御情報を通信端末装置に通知することが可能となる。
【００１６】
（３）また、本発明の移動通信システムにおいて、前記無線制御装置は、前記セル固有の符号系列として、複数フレーム毎に符号系列を循環的にシフトした符号系列を生成し、前記通信端末装置は、当該符号系列に基づいて前記時間区間制御情報を取得することを特徴としている。
【００１７】
このように、セル固有の符号系列として、複数フレーム毎に符号系列を循環的にシフトした符号系列が生成されることから、シフト量に情報を持たせることができるので、当該情報によって時間区間制御情報を通信端末装置に通知することが可能となる。特に、複数フレーム毎に符号系列をシフトさせているので、１フレーム毎に符号系列をシフトさせる場合と比べてより大きい時間区間制御情報を通信端末装置に通知することが可能となる。
【００１８】
（４）また、本発明の移動通信システムにおいて、前記無線制御装置は、セルＩＤと１対１に対応する前記セル固有の符号系列を生成し、前記通信端末装置は、当該符号系列に基づいて前記時間区間制御情報を取得することを特徴としている。
【００１９】
このように、セルＩＤと１対１に対応するセル固有の符号系列が生成されることから、セルＩＤを確認することによって当該セル固有の符号系列を特定することができるので、通信端末装置において容易に時間区間制御情報を取得することが可能となる。
【００２０】
（５）また、本発明の移動通信システムにおいて、前記無線制御装置は、１フレーム毎に１符号シフトする前記セル固有の符号系列を生成し、前記通信端末装置は、当該符号系列に基づいて前記時間区間制御情報を取得することを特徴としている。
【００２１】
このように、１フレーム毎に１符号シフトするセル固有の符号系列が生成されることから、この符号系列の特徴を活用した情報を通信端末装置に通知することが可能となる。例えば、時間方向の情報を通信端末装置に通知することが可能となる。
【００２２】
（６）また、本発明の移動通信システムにおいて、前記無線制御装置は、１フレーム毎に一定符号シフトし、当該一定符号シフト量がフレーム毎に一定である前記セル固有の符号系列を生成し、前記通信端末装置は、当該符号系列に基づいて前記時間区間制御情報を取得することを特徴としている。
【００２３】
このように、１フレーム毎に一定符号シフトし、当該一定符号シフト量がフレーム毎に一定であるセル固有の符号系列が生成されることから、例えば、通信端末装置において、一定符号だけシフトさせた符号系列における相関結果を、フレーム毎の平均化に使用することが可能となる。
【００２４】
（７）また、本発明の移動通信システムにおいて、前記時間区間制御情報がシステムフレーム番号であることを特徴としている。
【００２５】
このように、時間区間制御情報がシステムフレーム番号であることから、システムフレーム番号を通知するために使用される物理的リソースを削減することができるので、システムフレーム番号の通知／取得のための物理的リソースを効率的に利用することが可能となる。
【００２６】
（８）本発明の無線制御装置は、フレームを一つ以上に分割したサブフレームを用いて通信端末装置にダウンリンクデータを送信する無線制御装置であって、複数フレーム区間に設定される時間区間制御情報を前記通信端末装置に通知するセル固有の符号系列を生成するリファレンス信号生成手段と、前記セル固有の符号系列を各サブフレームに多重される基準信号に割り当てる符号割当手段とを備えることを特徴としている。
【００２７】
このように、リファレンス信号生成手段で時間区間制御情報を通知するセル固有の符号系列を生成し、符号割当手段で当該セル固有の符号系列を各サブフレームに多重される基準信号に割り当てることから、通信端末装置で当該セル固有の符号系列の割当位置に応じて時間区間制御情報を取得することにより、時間区間制御情報を通知するために使用される物理的リソースを削減することができるので、情報通知／取得のための物理的リソースを効率的に利用することが可能となる。
【００２８】
（９）本発明の無線制御装置において、前記リファレンス信号生成手段は、前記セル固有の符号系列として、１フレーム毎に符号系列を循環的にシフトした符号系列を生成することを特徴としている。
【００２９】
このように、セル固有の符号系列として、１フレーム毎に符号系列を循環的にシフトした符号系列が生成されることから、シフト量に情報を持たせることができるので、当該情報によって時間区間制御情報を通信端末装置に通知することが可能となる。
【００３０】
（１０）本発明の無線制御装置において、前記リファレンス信号生成手段は、前記セル固有の符号系列として、複数フレーム毎に符号系列を循環的にシフトした符号系列を生成することを特徴としている。
【００３１】
このように、セル固有の符号系列として、複数フレーム毎に符号系列を循環的にシフトした符号系列が生成されることから、シフト量に情報を持たせることができるので、当該情報によって時間区間制御情報を通信端末装置に通知することが可能となる。特に、複数フレーム毎に符号系列をシフトさせているので、１フレーム毎に符号系列をシフトさせる場合と比べてより大きい時間区間制御情報を通信端末装置に通知することが可能となる。
【００３２】
（１１）本発明の無線制御装置において、前記リファレンス信号生成手段は、セルＩＤと１対１に対応する前記セル固有の符号系列を生成することを特徴としている。
【００３３】
このように、セルＩＤと１対１に対応するセル固有の符号系列が生成されることから、セルＩＤを確認することによって当該セル固有の符号系列を特定することができるので、通信端末装置において容易に時間区間制御情報を取得することが可能となる。
【００３４】
（１２）本発明の無線制御装置において、前記リファレンス信号生成手段は、１フレーム毎に１符号シフトする前記セル固有の符号系列を生成することを特徴としている。
【００３５】
このように、１フレーム毎に１符号シフトするセル固有の符号系列が生成されることから、この符号系列の特徴を活用した情報を通信端末装置に通知することが可能となる。例えば、時間方向の情報を通信端末装置に通知することが可能となる。
【００３６】
（１３）本発明の無線制御装置において、前記リファレンス信号生成手段は、１フレーム毎に一定符号シフトし、前記一定符号シフト量がフレーム毎に一定である前記セル固有の符号系列を生成することを特徴としている。
【００３７】
このように、１フレーム毎に一定符号シフトし、当該一定符号シフト量がフレーム毎に一定であるセル固有の符号系列が生成されることから、例えば、通信端末装置において、一定符号だけシフトさせた符号系列における相関結果を、フレーム毎の平均化に使用することが可能となる。
【００３８】
（１４）本発明の無線制御装置において、前記時間区間制御情報がシステムフレーム番号であることを特徴としている。
【００３９】
このように、時間区間制御情報がシステムフレーム番号であることから、システムフレーム番号を通知するために使用される物理的リソースを削減することができるので、システムフレーム番号の通知／取得のための物理的リソースを効率的に利用することが可能となる。
【００４０】
（１５）本発明の通信端末装置は、フレームを一つ以上に分割したサブフレームを用いて無線制御装置からのダウンリンクデータを受信する通信端末装置であって、前記無線制御装置からのダウンリンクデータを受信する受信手段と、前記ダウンリンクデータにおいて各サブフレームに多重される基準信号に割り当てられたセル固有の符号系列を検出し、当該セル固有の符号系列の割り当て位置に応じて複数フレーム区間に設定される時間区間制御情報を取得するリファレンス信号処理手段と、を備えることを特徴としている。
【００４１】
このように、ダウンリンクデータにおいて各サブフレームに多重される基準信号に割り当てられたセル固有の符号系列を検出し、当該セル固有の符号系列の割り当て位置に応じて時間区間制御情報を取得することから、時間区間制御情報を通知するために使用される物理的リソースを削減することができるので、情報通知／取得のための物理的リソースを効率的に利用することが可能となる。
【００４２】
（１６）本発明の通信端末装置において、前記リファレンス信号処理手段は、１フレーム毎に符号系列を循環的にシフトした符号系列に基づいて前記時間区間制御情報を取得することを特徴としている。
【００４３】
このように、１フレーム毎に符号系列を循環的にシフトした符号系列に基づいて時間区間制御情報を取得することから、例えば、無線制御装置においてシフト量に持たせた情報を時間区間制御情報として取得することができるので、時間区間制御情報を通知するために使用される物理的リソースを削減することが可能となる。
【００４４】
（１７）本発明の通信端末装置において、前記リファレンス信号処理手段は、複数フレーム毎に符号系列を循環的にシフトした符号系列に基づいて前記時間区間制御情報を取得することを特徴としている。
【００４５】
このように、複数フレーム毎に符号系列を循環的にシフトした符号系列に基づいて時間区間制御情報を取得することから、例えば、無線制御装置においてシフト量に持たせた情報を時間区間制御情報として取得することができるので、時間区間制御情報を通知するために使用される物理的リソースを削減することが可能となる。特に、複数フレーム毎にシフトした符号系列に基づいて時間区間制御情報を取得するので、１フレーム毎にシフトした符号系列に基づいて時間区間制御情報を取得する場合と比べてより大きい時間区間制御情報を取得することが可能となる。
【００４６】
（１８）本発明の通信端末装置は、前記リファレンス信号処理手段は、セルサーチによって検出されるセルＩＤと１対１に対応する前記セル固有の符号系列を検出することを特徴としている。
【００４７】
このように、セルＩＤと１対１に対応するセル固有の符号系列を検出することから、セルＩＤを確認することによって当該セル固有の符号系列を特定することができるので、容易に時間区間制御情報を取得することが可能となる。
【００４８】
（１９）本発明の通信端末装置は、前記リファレンス信号処理手段は、１フレーム毎に１符号シフトする前記セル固有の符号系列を検出することを特徴としている。
【００４９】
このように、１フレーム毎に１符号シフトするセル固有の符号系列を検出することから、この符号系列の特徴を活用した情報を取得することが可能となる。例えば、時間方向の情報を取得することが可能となる。
【００５０】
（２０）本発明の通信端末装置は、前記リファレンス信号処理手段は、１フレーム毎に一定符号シフトし、前記一定符号シフト量がフレーム毎に一定である前記セル固有の符号系列を検出することを特徴としている。
【００５１】
このように、１フレーム毎に一定符号シフトし、当該一定符号シフト量がフレーム毎に一定であるセル固有の符号系列を検出することから、例えば、一定符号だけシフトさせた符号系列における相関結果を、フレーム毎の平均化に使用することが可能となる。
【００５２】
（２１）本発明の通信端末装置は、前記時間区間制御情報がシステムフレーム番号であることを特徴としている。
【００５３】
このように、時間区間制御情報がシステムフレーム番号であることから、システムフレーム番号を通知するために使用される物理的リソースを削減することができるので、システムフレーム番号の通知／取得のための物理的リソースを効率的に利用することが可能となる。
【発明の効果】
【００５４】
本発明によれば、時間区域制御情報を通知するセル固有の符号系列を各サブフレームに多重される基準信号に割り当てるようにしたことから、時間区間制御情報を通知するために使用される物理的リソースを削減することができるので、情報通知／取得のための物理的リソースを効率的に利用することが可能となる。
【発明を実施するための最良の形態】
【００５５】
本発明の実施形態について説明する前に、本発明で使用されるマルチキャリア通信における基本技術や基礎的な概念について簡単に説明する。以下において、本移動通信システムが有する無線制御装置の例として基地局装置（以下、基地局と呼ぶ）を、本移動通信システムが有する通信端末装置の例として移動局装置（以下、移動局と呼ぶ）を用いて説明する。なお、移動局には、例えば、携帯電話端末、ＰＤＡ端末、携帯可能なパーソナルコンピュータ等が含まれる。
【００５６】
（マルチキャリア通信の基本事項）
以下の説明では、下りリンク無線通信に使用するデジタル変調方式としてＯＦＤＭを使用する。また、本発明における移動通信システム（ＯＦＤＭ通信システム）では、１つのセルを３つの通信制御領域（セクタ）として制御する基地局がセル内の中心付近に設置され、複数の移動局と同時に通信を行なうことが考慮されている。移動通信システムでは、無線通信フレーム（以下、これをフレームと呼ぶ）を複数の移動局で使用できるように小さく分割し（以下、この分割単位をリソースブロックと呼ぶ）、それぞれのリソースブロックを通信環境が良好な移動局に割り当てることによって通信速度の向上を図っている。
【００５７】
（フレームの説明）
図１は、本発明に係る移動通信システムで使用されるダウンリンクのフレーム構成を示す図である。フレーム構成は、図１に示すようにＯＦＤＭＡ通信方式で用いられる一般的なフレーム構成と同様である。すなわち、一定時間区間（フレーム区間）を複数に分割し、かつ、周波数領域も複数のサブキャリアから構成される一定の帯域幅に分割した構成を使用する。これらの分割された１つの領域を本明細書においてはリソースブロックと呼んでいる。一般的に時間領域のフレームを分割した単位をサブフレームと呼び、周波数領域での分割された単位を周波数リソースブロック（サブチャネル）と呼ぶこともある。図１では、周波数軸方向にはＲＢ１からＲＢ６までの６つの周波数リソースブロックと時間軸方向にはＳＦ１からＳＦ１０の１０個のサブフレームで構成されている。
【００５８】
ただし、ブロック分割数およびブロックサイズはこれに限定して適用されるものではなく、本明細書で示す実施の方法はリソースブロックの分割数に依存しない。また、各移動局はこれらのブロックを共有して使用し、特に通信特性（スループット）の向上を図るために各ブロックが伝搬路環境の良い移動局にスケジューリングされることになる。また、小さいデータ量の通信を行なっている複数の移動局がある場合には、１つのリソースブロックをさらに分割し共有して使用することも可能である。
【００５９】
（セルサーチ）
マルチセル環境における移動局は、通信を開始する際に複数の基地局の中から受信特性の良好な、一般的には受信信号の受信電力が最も高い基地局を選択し、基地局と接続した後、無線通信を開始する。このような無線通信の開始時の動作を一般的にセルサーチと呼ぶ。セルサーチには通信特性の良好な基地局（すなわち、受信電力が最大となる基地局）の選択、セルＩＤなどの情報を含む基地局情報の取得、フレーム同期ならびにシンボル同期などが含まれる。移動局はセルサーチ後に、基地局固有情報（報知情報）を取得し無線通信を開始する。
【００６０】
なお、本明細書の説明ではセルサーチ後に報知情報を取得する手順を示しており、報知情報の取得とセルサーチを別々のステップとしているが、セルサーチの手順の１つとして報知情報の取得が含まれる場合もある。また、ある基地局と通信を行なっていた移動局が移動したことによって通信品質が劣化した場合には、ハンドオーバーと呼ばれる基地局を切り替える動作を行なう。このハンドオーバーではセルサーチと同様に新しく接続する基地局とのセルＩＤ情報、フレームタイミング、およびシンボルタイミングなどの情報をセルサーチの場合と同様に取得する必要がある。さらには、報知情報に関しても同様にハンドオーバー時に取得するため、本発明の適用が可能である。
【００６１】
図２は、セルおよびセクタの構成の一例を示す図である。図示されるように、１つのセル（ＣＬ１〜ＣＬ３）の中心に基地局（ＢＳ１〜ＢＳ３）が設置され、各セル（ＣＬ１〜ＣＬ３）は、各々、３つのセクタ（ＳＣ１〜ＳＣ３）に分割されている。各セルには複数の移動局（ＵＥ１等、他は省略する）が存在しており、各移動局は、受信品質の最も優れる基地局を選択し、無線通信を行なう。
【００６２】
例えば、図２に示した基地局（ＢＳ１〜ＢＳ３）が同一の送信電力で下り方向無線通信を行なっているとすると、移動局ＵＥ１は、最も伝搬損の少ないと考えられるＢＳ１と接続し、通信を行なう。このように複数の基地局を検出し、その中から最も通信品質が良好な基地局を選択し、接続するためにセルサーチを行なう必要がある。
【００６３】
（３段階セルサーチ方法とＳＦＮの取得）
以下にＬＴＥの規格として検討されているセルサーチ方法を説明する。本明細書ではセルサーチ方法として以下の方法を前提に実施形態の説明を行なうが、セルサーチ方法はこれに限定されるものではない。ここでは、セルＩＤを取得するための１例として示している。セルサーチ方法は、３段階セルサーチ法と呼ばれる３ステップに分けたセルサーチ方法が提案されている。第１ステップでは、Ｐ−ＳＣＨの時間相関検出を使用して、ＯＦＤＭシンボルタイミング、周波数オフセットの検出を行なう。
【００６４】
図３は、フレームにおける同期チャネル（ＳＣＨ）の配置位置の一例を示す図である。図３（ａ）に示すように、ＳＣＨは、第１サブフレーム（ＳＦ１）と第６サブフレーム（ＳＦ６）に配置される。また、図３（ｂ）に示すように、リソースブロック内での配置は前述したサブフレームの第７シンボルにＰ−ＳＣＨが、第６シンボルにＳ−ＳＣＨが配置されている。また、リファレンス信号（ＲＳ）は、各サブフレームの第１、第５、第８および第１２シンボルに３サブキャリア毎に配置されている。
【００６５】
なお、本発明における実施形態は、必ずしもこれらの配置に限定されないが、セルサーチを行なう移動局にＳＣＨのフレーム内の配置は既知である必要がある。また、ＲＳの配置に関しても既知であるか、もしくはＳＣＨの情報によって移動局に通知されることが望ましい。本発明は以上のフレーム構成とチャネル配置を前提として説明を行なう。
【００６６】
以上のようなチャネル配置において、セルサーチは、上述したように第１ステップでフレーム内の２つのＳＣＨの時間的位置を検出することによってフレーム区間の１／２の周期で同期を行なうことができる。同時に、Ｐ−ＳＣＨのシンボル位置が固定されているのでシンボル同期も行なう。
【００６７】
第２ステップでは、第１ステップで検出したＰ−ＳＣＨのシンボル位置で周波数領域におけるＰ−ＳＣＨの符号の検出が行なわれる。Ｐ−ＳＣＨの符号は、セクタ固有に設定されており、これによってセクタ番号を検出することができる。例えば、図２に示したような３セクタのセルによって構成されるマルチセルである場合、セクタ番号は、１から３まで設定されることになる。同時に、Ｓ−ＳＣＨを構成するデータを復調し、基地局情報（例えば、セルＩＤグループ、フレームタイミングなど）を取得する。
【００６８】
セルＩＤ情報は、セクタ番号とセルＩＤグループの組み合わせによって決定される。よって、以上のような２ステップでセルＩＤ情報が取得できる。
【００６９】
第３ステップでは、移動局が第２ステップで検出したセルＩＤグループと対応する基地局固有の符号と、セクタ番号対応する符号とが乗算されたリファレンス信号と実際に受信した信号のリファレンス信号との相関により、セルＩＤの確認を行なっている。なお、このステップで確認されたＲＳは、以降のデータ復調に用いられることになる。
【００７０】
次に、移動局は、基地局からの報知情報を取得する。報知情報に含まれる情報としては、ＳＦＮの他に、システム帯域幅情報、送信アンテナ数情報、ＦＤＤ／ＴＤＤ識別情報などが含まれる。報知情報は、セルとのデータ通信以前に必ず取得する必要がある情報であるという特徴から、定期的に、かつ、セル全体での受信が可能であるような変調方式で送信する必要がある。このことは報知情報が低い変調方式で送信されることを意味し、よって少ない情報でも比較的大きな物理的リソースが必要である。このため、一定間隔で送信され、かつ、変調方式を高く設定できない報知情報に使用されるリソースをなるべく少なくしたい、つまりは情報量をなるべく少なくしたいという要望がある。
【００７１】
そこで、本発明に係る移動通信システムにおいては、セルサーチに使用されるリファレンスシンボルにＳＦＮ情報、もしくはその一部の情報を持たせることによって、ＢＣＨによるリソースの消費を低減するようにしたものである。
【００７２】
以下、本発明の実施形態について、図面を参照しながら説明する。以下においては、上述したＬＴＥ規格の通信方式に基づいた実施形態について説明する。そのため、上述したフレーム構成（図１）およびリソースブロック構成（図３）と同じ構成を前提とした説明を行なう。ただし、本発明はこれに限定されるものではない。また、セルサーチ方法に関しても、上述したＬＴＥでの方法を前提として説明を行なうが、必ずしも同一のセルサーチ方法である必要はない。
【００７３】
（第１の実施形態）
本発明に係る移動通信システムにおいては、基地局が、リソースブロックに多重されるリファレンス信号（ＲＳ）を用いて移動局にＳＦＮを通知する。この場合において、ＳＦＮの通知には、セルサーチで取得するセルＩＤと１対１に対応するＲＳの符号を用いて行なう。以下、移動局にＳＦＮを通知するために、ＲＳシンボルに符号を割り当てる際の割り当て方法の一例について説明する。
【００７４】
図４は、本実施形態に係る移動通信システムにおいて、ＳＦＮ情報を通知するためのＲＳの基準位置を示す図である。図４において、周波数方向に６つの周波数リソースブロック（ＲＢ）を示し、時間軸方向に１つのサブフレーム（ＳＦ）を示している。図４に示すように、ＲＳの配置は、上述したＳＣＨを含むリソースブロック（図３（ｂ））と同様の配置になっている。ここで、本実施形態におけるＲＳシンボルは、全部で９６シンボルとなっている。各シンボルの位置をそれぞれｐｉ（ｉ＝０〜９５）としている。
【００７５】
次に、ＲＳシンボルに割り当てる符号（ＲＳ符号）ｒｊ（ｊ＝０〜９５）の割り当て例を示す。ここで、ｒｊは、セル固有の符号であり、セルサーチによって取得できる情報により同定できるものとする。
【００７６】
まず、本実施形態に係る移動通信システムにおいて、ＲＳシンボルに割り当てられるＲＳ符号の基本ポジションについて示す。図５は、本実施形態に係る移動通信システムにおいて、ＲＳシンボルに割り当てられるＲＳ符号の基本ポジションの一例を示したものである。図５に示すＲＳ符号の基本ポジションにおいては、ｐｉ＝ｒｉとなっている。ここで、基本ポジションのＲＳ符号の割り当て方法は、移動局に既知であり、各セル共通であるものとする。
【００７７】
図６は、図５に示すＲＳ符号の基本ポジションから、１符号分シフトさせた状態のＲＳ符号について示したものである。具体的には、ｐ０＝ｒ９５、ｐ１＝ｒ0、ｐ２＝ｒ1・・・となっている。つまり、符号のシフト量をｓとすると、あるＲＳシンボル番号ｉにおける符号番号は、（ｉ−ｓ）ｍｏｄ９６で表せる。すなわち、ｐｉ＝ｒ（（ｉ−ｓ）ｍｏｄ９６）である。ここで、ｍｏｄは、数値を除算した剰余を示す。
【００７８】
このように、ＲＳ符号の割り当てをシフトすることにより、そのシフト量ｓに情報を持たせ、移動局に通知することができる。より具体的には、図７に示すように、フレーム毎にシフト量ｓの値を変更することによって時間方向の情報を通知することが出来る。本発明ではこれによってＳＦＮを通知する。ＲＳシンボルが９６のシンボルで構成される場合には、シフト量ｓで９６種類の情報を表すことができる。よって、１フレーム毎にｓを異なる値に設定すれば、サブフレームのＲＳ符号を検出することによって、ＳＦＮの周期を容易に判断することができる。なお、ここでは、ＳＦＮが９６フレームである例を示している。
【００７９】
なお、この場合において、移動局には基本ポジション（図５）、並びに、基本ポジションをシフトさせた場合のシフト量と位置の関係（図６など）は既知である。すなわち、上述した実施形態以外にも、ＲＳの基本ポジションが異なる形態で実施可能である。また、シフトだけでなく、時間方向に異なる配置を使用することも可能である。
【００８０】
図８は、サブフレーム内の第５シンボルのＲＳと、第８シンボルのＲＳとを交換した場合の一例を示すものである。つまり、以降に説明する相関によるＲＳの検出を行なう際、移動局が図８のような候補も相関を観測する候補の１つとして定義しておくことによって、ＳＦＮの情報量を増やすことができる。例えば、図８に示す例においては、ＳＦＮの情報量が９６×２通りになる。
【００８１】
なお、本実施形態においては、ＲＳシンボルに対して周波数方向にシンボル番号を設定する場合について示しているが、これに限定されるものではなく、時間方向にシンボル番号を設定する方法やランダムにシンボル番号を設定する方法でも実施可能である。ただし、シンボル番号の設定方法は、移動局によって予め認識されているものとする。
【００８２】
また、移動局において、シフト量ｓが連続的に変化することに着目し、フレーム毎にＲＳの符号検出結果をシフトしていく符号毎に積分していく（平均化していく）ことは実施形態として好ましい。この場合には、より効果的にＲＳを検出することが可能になる。
【００８３】
（基地局および移動局の構成）
次に、本実施形態に係る移動通信システムが有する基地局および移動局の構成例について説明する。まず、本実施形態に係る移動通信システムが有する基地局の構成例について説明する。
【００８４】
図９は、本実施形態に係る移動通信システムが有する基地局における、物理レイヤおよびＭＡＣ（Ｍｅｄｉａ  Ａｃｃｅｓｓ  Ｃｏｎｔｒｏｌ）サブレイヤの構成例を示すブロック図である。なお、図９に示す基地局においては、図２に示す３セクタのセル構成に対応する場合について示しているため、セクタ＃１〜セクタ＃３にそれぞれ対応する３つの物理層部を有している。これらの３つの物理層部は同じ構成を採っており、同様の機能を有する。
【００８５】
図９に示すように、基地局は、ＭＡＣ部１１と、物理層部１２とを備えている。ＭＡＣ部１１は、論理チャネルと物理チャネルのマッピング、スケジューリング処理、物理層部の制御を行ない、上位層から入力されたデータを物理層部１２へ出力する。また、物理層部１２から入力されたデータを上位層へ出力する。物理層部１２は、ＭＡＣ部１１より入力された伝送データの無線送信信号への変換、並びに、後述する物理層部１２のアンテナ部で受信した無線受信信号の伝送データへの変換をＭＡＣ部１１からの制御情報に基づき行なう。
【００８６】
ＭＡＣ部１１は、上位層より通知されるフレームの各リソースブロックの割り当て情報に基づき、後述する物理層部１２の送信回路部を制御する送信回路制御部１１１と、各リソースブロックのデータチャネル、リファレンス信号などの物理チャネルのデータをスケジューリングされたタイミングに合わせ送信回路部に入力する送信データ出力部１１２とを備えている。
【００８７】
物理層部１２は、ＭＡＣ部１１より入力されたデータチャネルに対して変調を施し、リファレンス信号、およびサブフレームによってはＳＣＨと共にリソースブロックに多重した後、後述するアナログ回路部に入力する送信回路部１２１と、アナログ回路部からの出力を復調しＭＡＣ部１１に入力する受信回路部１２２と、送信回路部１２１から入力される送信信号を無線周波数に変換し、後述するアンテナ部より受信された受信信号を受信回路部１２２で処理できる周波数帯に変換するアナログ回路部１２３と、アナログ回路部１２３より入力された送信信号を無線空間に送信し、無線空間中の信号を受信するアンテナ部１２４と、を備えている。
【００８８】
図１０は、図９に示す送信回路部１２１の具体的な構成の一例を示すブロック図である。上述したように、送信回路部１２１は、ＭＡＣ部１１より入力されたデータチャネルの符号化および変調を行なうと共に、データチャネル、リファレンス信号、ＳＣＨをＭＡＣ部１１からの制御信号に基づき、リソースブロックに多重して送信を行なう。
【００８９】
図１０に示すように、送信回路部１２１は、信号処理部１２１１と、ＳＣＨ信号生成部１２１２と、リファレンス信号生成部１２１３と、割り当て部１２１４と、ＩＦＦＴ（Ｉｎｖｅｒｓｅ  Ｆａｓｔ  Ｆｏｕｒｉｅｒ  Ｔｒａｎｓｆｏｒｍ）部１２１５と、Ｐ／Ｓ変換部１２１６と、ＧＩ付加部１２１７と、Ｄ／Ａ変換部１２１８とを備えている。また、信号処理部１２１１は、誤り訂正符号化部１２１９と、Ｓ／Ｐ変換部１２２０と、変調部１２２１とを備えている。
【００９０】
信号処理部１２１１は、ＭＡＣ部１１より入力されたデータチャネルをリソースブロック毎に送信データの信号処理を行なう。この信号処理部１２１１において、誤り訂正符号化部１２１９は、送信データの誤り訂正符号化を行なう。Ｓ／Ｐ変換部１２２０は、誤り訂正符号化部１２１９の出力を並列直列変換する。変調部１２２１は、Ｓ／Ｐ変換部１２２０の出力に対し、ＢＰＳＫ、ＱＰＳＫ、１６ＱＡＭなどの変調処理を行なう。
【００９１】
ＳＣＨ信号生成部１２１２は、ＭＡＣ部１１からの制御情報に基づきＳＣＨデータの生成を行なう。リファレンス信号生成部１２１３は、同じくＭＡＣ部１１からの制御信号に基づきリファレンス信号の生成を行なう。割り当て部１２１４は、信号処理部１２１１からの出力信号と、ＳＣＨ信号生成部１２１２からの出力信号と、リファレンス信号生成部１２１３からの出力信号をリソースブロックの各サブキャリアに割り当てる。
【００９２】
ＩＦＦＴ部１２１５は、割り当てられた周波数領域のデータ信号列を時間波形に変換する。Ｐ／Ｓ変換部１２１６は、ＩＦＦＴ部１２１５の出力を並列直列変換する。ＧＩ付加部１２１７は、Ｐ／Ｓ変換部１２１６の出力に対してガードインターバルを付加する。Ｄ／Ａ変換部１２１８は、ＧＩ付加部１２１７の出力信号をデジタル信号からアナログ信号に変換する。
【００９３】
割り当て部１２１４では、ＭＡＣ部１１からの制御情報に基づいて処理を行ない、各物理チャネルを所望のサブキャリアに割り当てる。信号処理部１２１１の出力は、ＭＡＣ部１１の送信回路制御部１１１より通知される制御情報に基づいて割り当て部１２１４で適切なサブキャリアに割り当てられた後、ＩＦＦＴ部１２１５に出力される。Ｄ／Ａ変換部１２１８の出力は、無線周波数への周波数変換を行なうアナログ回路部１２３を経て、アンテナ部１２４から空中に、無線信号として送信される。
【００９４】
なお、ＳＣＨ信号生成部１２１２、並びに、リファレンス信号生成部１２１３においては、送信機会毎にデータの生成を行なうことも可能であるし、また、一度生成したデータを記憶して使用することも可能である。リファレンス信号は、上述したようにサブフレーム毎にリソースブロックに多重され、さらにフレーム毎に周波数方向にその符号をシフトすることを特徴としているが、一度あるシフト量のＲＳ符号を生成し、それを記憶しておくことによって、次のフレームでは新たに符号を生成せずに記憶されたＲＳ符号をシフトするだけでよいことになる。
【００９５】
ＲＳ符号のシフトは、上述したリファレンス信号生成部１２１３によって行なわれるが、これに限定されるものではない。例えば、リファレンス信号生成部１２１３で行なう方法以外に、割り当て部１２１４にてシフトを施したＲＳシンボルにＲＳ符号を割り当てることによって代用することも可能である。
【００９６】
以上のように複数のセクタを制御する基地局の送信部においては、各リソースブロックの適切な位置にＳＣＨ信号とリファレンス信号をデータＣＨと共に多重し、それぞれのセクタに対応するアンテナ部１２４から送信する。これにより、リファレンス信号の符号系列によって、移動局が基地局と接続を行なう際に取得するＳＦＮを移動局に通知することが可能になる。
【００９７】
次に、本実施形態に係る移動通信システムが有する移動局の構成例について説明する。図１１は、本実施形態に係る移動通信システムが有する移動局の構成例を示すブロック図である。
【００９８】
図１１に示すように、移動局は、アンテナ部２１と、アナログ受信回路部２２と、Ａ／Ｄ変換部２３と、タイミング検出部２４と、ＧＩ（ガードインターバル）除去部２５と、Ｓ／Ｐ（直列／並列）変換部２６と、ＦＦＴ部２７と、サブキャリア補償部２８と、復調部２９と、誤り訂正復号化部３０と、初期同期部３１とを備えている。また、初期同期部３１は、ＳＣＨ信号処理部３２と、リファレンス信号処理部３３とを備えている。
【００９９】
アンテナ部２１は、基地局から送信された無線信号を受信する。アナログ受信回路部２２は、アンテナ部２１で受信した無線信号を無線周波数帯からベースバンド周波数帯に変換する。Ａ／Ｄ変換部２３は、アナログ受信回路部２２でベースバンド周波数帯に変換された信号を、アナログ信号からデジタル信号に変換する。
【０１００】
タイミング検出部２４は、デジタルデータに変換された受信データからＳＣＨを検出し、このＳＣＨにシンボル同期を行なうためにＳＣＨ検出処理を施す。具体的には、Ａ／Ｄ変換部２３から入力された時間方向の信号に対し、ＳＣＨの時間波形が観測されるかを検出する。ここで、検出されたタイミングは、シンボルタイミングおよびＳＣＨの含まれるサブフレームのタイミングとして使用される。
【０１０１】
ＧＩ除去部２５は、タイミング検出部２４からのタイミング情報に従ってＧＩを除去する。Ｓ／Ｐ変換部２６は、ＧＩ除去部２５でＧＩを除去されたシンボルを直列信号から並列信号に変換する。ＦＦＴ部２７は、Ｓ／Ｐ変換部２６で並列信号に変化された信号に対してＦＦＴ処理を施す。サブキャリア補償部２８は、リファレンス信号を基準の信号として復調および復号を行なうデータのサブキャリア補償を施す。復調部２９は、サブキャリア補償部２８から入力されたデータの復調を行なう。誤り訂正復号化部３０は、復調部２９で復調されたデータの誤り訂正および復号化を行なう。
【０１０２】
初期同期部３１において、ＳＣＨ信号処理部３２は、ＦＦＴ部２７から入力されたＳＣＨデータを使用してセルＩＤグループおよびセクタＩＤを検出し、これらを組み合わせてセルＩＤを生成する。リファレンス信号処理部３３は、ＳＣＨ信号処理部３２で生成されるセルＩＤに対応するＲＳ符号のレプリカ信号を生成し、受信信号のＲＳ（受信ＲＳ）との相関を計算することによりＳＦＮを検出する。
【０１０３】
ここで、上記構成を有する移動局でＳＦＮ情報を取得する際の動作について図１２を用いて説明する。図１２は、本実施形態に係る移動通信システムが有する移動局でＳＦＮ情報を取得する際の動作について説明するためのフローチャートである。
【０１０４】
ＳＦＮ情報を取得する際、図１２に示すように、移動局は、まず、セルサーチにより受信品質が良好な基地局から送信されるＳＣＨ信号からセルＩＤを検出する。例えば、上述した３段セルサーチで示したようにＰ−ＳＣＨの時間波形によりタイミングを検出した後、Ｓ−ＳＣＨからセルＩＤグループおよびＰ−ＳＣＨからセクタＩＤを検出し、それらの組み合わせによりセルＩＤを検出する（ステップ（以下、Ｓと略す）１０１）。
【０１０５】
具体的には、まず、信号との時間的同期を行なうために受信信号からＳＣＨタイミングの検出が行なわれる。すなわち、アンテナ部２１を介して受信した基地局からの無線信号をアナログ受信回路部２２でベースバンド周波数帯に変換し、この変換後の信号をＡ／Ｄ変換部２３でアナログ信号からデジタル信号に変換する。そして、デジタルデータに変換された受信データからタイミング検出部２４でＳＣＨを検出し、シンボル同期を行なうためにＳＣＨ検出処理を施す。そして、タイミング検出部２４によって取得したタイミング情報を、ＧＩ除去部２５および初期同期部３１に入力する。
【０１０６】
ＧＩ除去部２５でタイミング情報に従ってＧＩを除去した後、ＧＩを除去したシンボルをＳ／Ｐ変換部２６で直列信号から並列信号に変換する。そして、変換後の並列信号に対してＦＦＴ部２７でＦＦＴ処理を施し、ＳＣＨデータおよびリファレンス信号データを初期同期部３１に入力する。そして、初期同期部３１（ＳＣＨ信号処理部３２）でＳＣＨデータを使用してセルＩＤグループおよびセクタＩＤを検出し、これらを組み合わせてセルＩＤを生成する（Ｓ１０１）。
【０１０７】
次に、移動局は、生成した基地局のＩＤ、つまり、セルＩＤグループとセクタＩＤとを組み合わせて生成されるセルＩＤと対応するＲＳ符号のレプリカ信号ｒｐｔ（ｔ＝０〜９５）を初期同期部３１（リファレンス信号処理部３３）生成する（Ｓ１０２）。ここで生成されるＲＳ符号のレプリカ信号は、受信信号のＲＳとの相関を取ることにより、ＳＦＮを検出するために使用される。
【０１０８】
受信ＲＳは、ＦＦＴ部２７より初期同期部３１に入力される。ここで初期同期部３１に入力される受信ＲＳは、サブフレーム内の所定のシンボル位置に多重されており、ＦＦＴ部２７でＦＦＴを施された後、ＲＳシンボル位置にある信号が選択され初期同期部３１に入力されることになる。当該信号（受信ＲＳ）が入力されると、初期同期部３１（リファレンス信号処理部３３）によってＲＳ符号のレプリカ信号と、受信ＲＳとの相関の計算を行なう（Ｓ１０３）。
【０１０９】
なお、Ｓ１０３において行なわれる相関の計算は、受信信号のＲＳ位置にある信号ｐｉと、移動局で生成したＲＳ符号のレプリカ信号ｒｐｔの相関値を計算することによって行なわれる。この場合においては、シフト量ｓを検出するためにｐｉもしくはｒｐｔの符号のどちらかをシフトすることで相関値を計算する。
【０１１０】
初期同期部３１（リファレンス信号処理部３３）においては、受信リファレンス信号データを図４に示した移動局に既知の符号配列ｐｉに基づいて配列する。そして、これに対してＲＳ符号のレプリカ信号ｒｐｔを循環的にシフトさせながら相関を取っていくことによって、最も相関値が高いシフト量を判定する（Ｓ１０４）。例えば、図７に示したＳＦＮに定義されたフレーム構成においては、フレームＦ１においてはシフト量０で最も高い相関値が観測され、フレームＦ２においてはシフト量＋１において最も高い相関値が観測されることになる。
【０１１１】
そして、ＲＳ符号のレプリカ信号ｒｐｔのシフト量ｓに対する最大ピーク値を観測すると、初期同期部３１（リファレンス信号処理部３３）においてそのシフト量ｓからＳＦＮ情報を取得する（Ｓ１０５）。以上のようにして取得されたＳＦＮ情報は、不図示のＭＡＣ部へ送られる。このＭＡＣ部においては、このＳＦＮ情報に従って基地局との通信を行なうことができる。
【０１１２】
このように、本実施形態に係る移動通信システムにおいては、リファレンス信号（ＲＳ）に、セル固有の符号を使用すると共に、その符号割り当て方法をある基準割り当て方法に対し、フレーム毎に循環的にシフトさせることによってそのシフト量とシステムフレーム番号（ＳＦＮ）とが１対１に対応させている。これにより、移動局において容易にＳＦＮを取得することができるようにしている。
【０１１３】
したがって、ＯＦＤＭダウンリンク通信システムにおいて報知情報でＳＦＮ情報を通知する必要がなく、ＢＣＨの負担を低減することが可能となる。また、移動局においては、セクタＩＤの同定とセルＩＤグループ情報より同定されるセルＩＤと対応したＲＳ符号のレプリカ信号を用いることによってＳＦＮ情報を容易に検出することが可能となる。
【０１１４】
本発明は、上記実施形態に限定されず、種々変更して実施することが可能である。これらの変形例は、ＬＴＥ（Ｌｏｎｇ  Ｔｅｒｍ  Ｅｖｏｌｕｔｉｏｎ）に準拠した通信方式の実用化に貢献する。また、本発明は、上記実施形態に限定されず、本発明の効果を発揮する範囲内で適宜変更することが可能である。その他、本発明の目的の範囲を逸脱しない限りにおいて適宜変更して実施することが可能である。
【０１１５】
（第２の実施形態）
第２の実施形態に係る移動通信システムにおいては、ＲＳの符号のシフトを複数フレームに対して１度行なう例について説明する。なお、基本的なフレーム構成、並びに、リソースブロックの構成について第１の実施形態に係る移動通信システムと同様である。また、基地局および移動局の構成も第１の実施形態で示した構成と同様の構成で実施可能である。
【０１１６】
第１の実施形態に係る移動通信システムにおいては、ＲＳの符号を１フレーム毎に１シンボルだけシフトさせる場合について説明している。第２の実施形態に係る移動通信システムにおいては、上述したＲＳによってＳＦＮの一部を通知することを特徴とする。つまり、ＳＦＮ周期の１／Ｍ１の周期をＲＳによって通知する方法を示すものである。
【０１１７】
図１３は、第２の実施形態におけるフレーム構成とＲＳ符号のシフト量ｓとの対応を示す図である。図１３においては、３フレーム毎にＲＳ符号を１シンボルだけシフトする場合について示している。つまり、第２の実施形態に係る移動通信システムにおいては、３フレーム区間では同一のシフト量ｓとなる。
【０１１８】
このように、第２の実施形態に係る移動通信システムにおいては、ＲＳの符号のシフトを複数フレームに対して１度行なう。これにより、第１の実施形態に係る移動通信システムの３倍のＳＦＮ区間を示すことが可能となる。なお、移動局においては、ＲＳ符号のシフト量ｓが変化するフレームを判定することによって、ＦＮ情報を取得することが可能となる。
【０１１９】
（第３の実施形態）
第３の実施形態に係る移動通信システムにおいては、ＲＳの符号のシフトを毎フレーム行ない、かつ、ＳＦＮ周期より短い周期で繰り返す例について説明する。なお、基本的なフレーム構成、並びに、リソースブロックの構成について第１の実施形態に係る移動通信システムと同様である。また、基地局および移動局の構成も第１の実施形態で示した構成と同様の構成で実施可能である。
【０１２０】
第１の実施形態に係る移動通信システムにおいては、ＲＳの符号を１フレーム毎に１シンボルだけシフトさせる場合について説明している。第２の実施形態に係る移動通信システムにおいては、上述したＲＳによってＳＦＮの一部を通知することを特徴とする。つまり、ＳＦＮ周期の１／Ｍ２の周期をＲＳによって通知する方法を示すものである。
【０１２１】
図１４は、第３の実施形態におけるフレーム構成とＲＳ符号のシフト量ｓとの対応を示す図である。図１４においては、３フレームで１周期のシフト変化をする場合について示している。つまり、第３の実施形態に係る移動通信システムにおいては、３フレーム毎に同一のシフト変化が繰り返されることになる。
【０１２２】
つまり、第３の実施形態に係る移動通信システムにおいては、図１４に示すようなＳＦＮの１／Ｍ２の周期情報をＲＳによって通知する。図１４においては、移動局は、３つの連続するフレームのＲＳ符号のシフト量ｓを３２に設定しているため、フレーム毎に３２ずらしたレプリカ信号と相関を取り、３２シフトしたＲＳ符号の相関結果をフレーム毎に平均化に使用することが可能となる。ただし、この場合において、移動局は、このようなＲＳ符号のシフト量の変化量は既知であるものとする。
【図面の簡単な説明】
【０１２３】
【図１】本発明に係る移動通信システムで使用されるダウンリンクのフレーム構成を示す図である。
【図２】セルおよびセクタの構成の一例を示す図である。
【図３】フレームにおける同期チャネル（ＳＣＨ）の配置位置の一例を示す図である。
【図４】本発明の第１の実施形態に係る移動通信システムにおいて、ＳＦＮ情報を通知するためのＲＳの基準位置を示す図である。
【図５】第１の実施形態に係る移動通信システムにおいて、ＲＳシンボルに割り当てられるＲＳ符号の基本ポジションの一例を示す図である。
【図６】図５に示すＲＳ符号の基本ポジションから、１符号分シフトさせた状態のＲＳ符号について示す図である。
【図７】第１の実施形態に係る移動通信システムにおけるフレーム構成とＲＳ符号のシフト量ｓとの対応を示す図である。
【図８】図５に示すＲＳ符号の基本ポジションから、サブフレーム内の第５シンボルのＲＳと、第８シンボルのＲＳとを交換した状態のＲＳ符号について示す図である。
【図９】第１の実施形態に係る移動通信システムが有する基地局における、物理レイヤおよびＭＡＣサブレイヤの構成例を示すブロック図である。
【図１０】図９に示す送信回路部の構成の一例を示すブロック図である。
【図１１】第１の実施形態に係る移動通信システムが有する移動局の構成例を示すブロック図である。
【図１２】第１の実施形態に係る移動通信システムが有する移動局でＳＦＮ情報を取得する際の動作について説明するためのフローチャートである。
【図１３】本発明の第２の実施形態におけるフレーム構成とＲＳ符号のシフト量ｓとの対応を示す図である。
【図１４】本発明の第３の実施形態におけるフレーム構成とＲＳ符号のシフト量ｓとの対応を示す図である。
【符号の説明】
【０１２４】
１１  ＭＡＣ部
１１１  送信回路制御部
１１２  送信データ出力部
１２  物理層部
１２１  送信回路部
１２１１  信号処理部
１２１２  ＳＣＨ信号生成部
１２１３  リファレンス信号生成部
１２１４  割り当て部
１２１５  ＩＦＦＴ部
１２１６  Ｐ／Ｓ変換部
１２１７  ＧＩ付加部
１２１８  Ｄ／Ａ変換部
１２１９  誤り訂正符号化部
１２２０  Ｓ／Ｐ変換部
１２２１  変調部
１２２  受信回路部
１２３  アナログ回路部
１２４  アンテナ部
２１  アンテナ部
２２  アナログ受信回路部
２３  Ａ／Ｄ変換部
２４  タイミング検出部
２５  ＧＩ除去部
２６  Ｓ／Ｐ変換部
２７  ＦＦＴ部
２８  サブキャリア補償部
２９  復調部
３０  誤り訂正復号化部
３１  初期同期部
３２  ＳＣＨ信号処理部
３３  リファレンス信号処理部
【図１】
2008283528.tif 000003
【図２】
2008283528.tif 000004
【図３】
2008283528.tif 000005
【図４】
2008283528.tif 000006
【図５】
2008283528.tif 000007
【図６】
2008283528.tif 000008
【図７】
2008283528.tif 000009
【図８】
2008283528.tif 000010
【図９】
2008283528.tif 000011
【図１０】
2008283528.tif 000012
【図１１】
2008283528.tif 000013
【図１２】
2008283528.tif 000014
【図１３】
2008283528.tif 000015
【図１４】
2008283528.tif 000016